(57)【要約】【課題】床材及び床暖房パネルを破損することなく床材の取り外しが可能であり、床材を床暖房パネルに対して強固に固定可能な床材の固定構造を提供する。また、このような床材の固定構造で床材を固定した床暖房装置を提供する。【解決手段】床暖房パネル３に第１係合部材２４を取り付け、床材４に第２係合部材２３を取り付ける。そして、第１係合部材２４と第２係合部材２３とは、いずれか一方を他方側に対して水平方向成分を含む方向に近接させることで係合状態となるものとする。さらに、第１係合部材２４と第２係合部材２３が係合状態となることで、床材４に取り付けた第２係合部材２３の上方向への移動が阻止される構造とする。【選択図】図３
2014101682.tif 000002
【特許請求の範囲】
【請求項１】
発熱体を備えた床暖房パネルの上部に床材を固定するための床材の固定構造であって、
前記床暖房パネルに取り付けられた第１係合部材と、前記床材の下方側に取り付けられた第２係合部材とを備え、
前記第１係合部材と前記第２係合部材のうちの一方は外側へ凸となる凸状部を有し、他方は前記凸状部と係合する係合受部を有しており、
前記第１係合部材と前記第２係合部材とは、水平方向成分を含む方向に相対的に近接するように移動することで少なくとも一部が接触して係合状態となるものであり、係合状態においては前記第１係合部材が前記第２係合部材の上方向への移動を阻止することを特徴とする床材の固定構造。
【請求項２】
前記凸状部は、基端側から突出端へと向かって細くなる楔状の突起であり、
前記係合受部は、前記凸状部を挿入可能な孔状の部分であって、
前記凸状部を前記係合受部に挿入することにより、前記第１係合部材と前記第２係合部材とが固定されることを特徴とする請求項１に記載の床材の固定構造。
【請求項３】
前記床暖房パネルは床下に配される下地合板上に固定されるものであり、前記下地合板と前記床暖房パネルとを固定する固定具と、前記床暖房パネルと前記第１係合部材とを固定する固定具とが同一の固定具であることを特徴とする請求項１又は２に記載の床材の固定構造。
【請求項４】
段状に屈曲させた金属板体である床材固定部材を備え、
前記床材固定部材は前記床材の裏面側に取り付けられ、前記床材と共に前記床暖房パネルに載置された状態で下側部分を前記床暖房パネルに固定するものであり、
前記床暖房パネル上に敷設される複数の床材のうちの一部が、前記床材固定部材を介して前記床暖房パネルに固定されていることを特徴とする請求項１乃至３のいずれかに記載の床材の固定構造。
【請求項５】
請求項１乃至４のいずれかに記載の床材の固定構造により、床暖房パネルと床材とが固定されていることを特徴とする床暖房装置。
【発明の詳細な説明】
【技術分野】
【０００１】
本発明は、発熱体を備えた床暖房パネルに床材を固定するための床材の固定構造に関する。また本発明は、床暖房パネルに床材を固定して形成されている床暖房装置に関する。
【背景技術】
【０００２】
個人住宅、集合住宅、オフィスビル等の建屋で用いる暖房装置として、床材の下に熱源を配して室内を暖める床暖房装置が広く知られている。このような床暖房装置には、大別して温水式と電気式とがあり、温水式の床暖房装置では、発熱体である温水が流れる配管が複数列に亘って配された床暖房パネルが使用されている。また、電気式の床暖房装置では、発熱体である電気式のヒータが敷き詰められた床暖房パネルが使用されている。
【０００３】
このような床暖房装置は、床下地合板の上に床暖房パネルを配し、さらにその上に複数枚の床材を固定していくことで形成されている。そして、床暖房パネルに設けた発熱体から供給される熱によって下方側から床材を暖め、室内における床表面の温度を上昇させている。
【０００４】
ここで、床暖房パネルと床材とを固定するとき、床暖房パネルに設けた小根太の上面に床材の底面を接触させた状態とし、これらを釘や針、接着剤等で固定する固定構造が知られている。しかしながら、このような固定構造によると、床暖房パネルから床材を取り外すときに取り外し作業が困難となってしまう。
【０００５】
例えば、個人住宅等において床材が破損してしまい、床材を補修する必要が生じたとする。この場合、床暖房パネルと床材とが釘等で固定されていると、床材を床暖房パネルから取り外し難いばかりか、床材を剥がす際に床材そのものや床暖房パネルを破損させてしまうおそれがある。なお、床暖房パネルごと床材を取り換えるという方法も考えられるが、補修作業の工期が長くなってしまう上に費用もかかってしまうため、好ましくない。
【０００６】
このような問題を解決するための技術として、特許文献１に開示されている技術がある。特許文献１には、床暖房パネルと床材とにレール状部材をそれぞれ設けた床暖房装置が開示されている。特許文献１に開示された床暖房装置では、床材の底面側に設けたレール状部材と、床暖房パネルに設けたレール状部材とが一対となっており、それぞれ弾性変形可能となっている。そして、床材側のレール状部材を床暖房パネル側のレール状部材に上側から押し当てることにより、これらのレール状部材が係合する構造となっている。そして、２つのレール状部材が係合すると、床材は、床暖房パネルに対してスライド移動が可能な状態で取り付けられることとなる。
【０００７】
つまり、特許文献１に開示された床暖房装置では、床暖房パネル上に複数枚の床材を敷き詰めていくとき、床材を床暖房パネルの上側に配し、それぞれのレール状部材を係合させ、床材をスライド移動可能な状態で仮取付けしている。さらに、床材を設置位置までスライド移動させ、移動させた床材の雄実（又は雌実）と、隣接して配置する他の床材の雌実（又は雄実）とを係合させている。そして、隣接する床材同士を連結していくことで、床材を床暖房パネル上に取り付けている。
【０００８】
このような構造によると、床材を床暖房パネルから取り外すときは、床材をスライド移動させて床材同士の係合を解除し、その後に床材を持ち上げてレール状部材同士の係合を解除すればよい。すなわち、床材を水平方向へとずらした後に持ち上げるだけで取り外すことが可能であるので、床材の取り外し作業が容易となる。また、床材や床暖房パネルに対して過度に力を加えることなく取り外し作業を実施できるので、床材の取り外し作業時に床材や床暖房パネルを破損することなく取り外しが可能となる。
【先行技術文献】
【特許文献】
【０００９】
【特許文献１】特許第４３４１９４６号公報
【発明の概要】
【発明が解決しようとする課題】
【００１０】
しかしながら、特許文献１に開示された構造には、床材を床暖房パネルにより強固に固定するという観点からさらなる改良の余地がある。
【００１１】
具体的に説明すると、特許文献１に開示された床暖房装置では、上記したように、床材ごと片側のレール状部材を持ち上げることで、床材側のレール状部材と床暖房パネル側の係合を解除することを想定している。そのため、床材に対して上向きの力が加わった際、レール状部材同士の係合が解除されてしまう。
ここで、床材には長尺板状のものがある。そして、この種の床材では、長手方向の片側端部近傍に重量のある家具等を設置すると、他方端部側に上向きの力がかかってしまう場合がある。この場合、床材の他方端部側でレール状部材同士の係合が解除され、床材の他方端部側が浮き上がってしまうおそれがある。
つまり、特許文献１に開示された床暖房装置における床材と床暖房パネルの固定構造では、上向きの力が床材に加わった場合、床材が予期に反して床暖房パネルから外れてしまうおそれがあった。
【００１２】
そこで本発明は、床材及び床暖房パネルを破損することなく床材の取り外しが可能であり、床暖房装置の設置作業が容易に実施可能であって、床材を床暖房パネルに対して強固に固定可能な床材の固定構造を提供することを課題とする。
また、そのような床材の固定構造を用いた床暖房装置を提供することを課題とする。
【課題を解決するための手段】
【００１３】
上記課題を解決するための請求項１に記載の発明は、発熱体を備えた床暖房パネルの上部に床材を固定するための床材の固定構造であって、前記床暖房パネルに取り付けられた第１係合部材と、前記床材の下方側に取り付けられた第２係合部材とを備え、前記第１係合部材と前記第２係合部材のうちの一方は外側へ凸となる凸状部を有し、他方は前記凸状部と係合する係合受部を有しており、前記第１係合部材と前記第２係合部材とは、水平方向成分を含む方向に相対的に近接するように移動することで少なくとも一部が接触して係合状態となるものであり、係合状態においては前記第１係合部材が前記第２係合部材の上方向への移動を阻止することを特徴とする床材の固定構造である。
【００１４】
本発明の床材の固定構造では、床暖房パネルに第１係合部材を取り付け、床材に第２係合部材を取り付けている。そして、第１係合部材と第２係合部材とは、いずれか一方を他方側に対して水平方向成分を含む方向に近接させることで係合状態となり、床材と一体に取り付けた第２係合部材の上方向への移動が阻止される状態となる。
すなわち、第１係合部材と第２係合部材とを水平方向成分を含む方向への相対移動によって係合（又は係合解除）する構造とすることにより、仮に床材に上向きに力が加わった場合であっても床材が外れることのない強固な取付けが可能となっている。さらに、床材を床暖房パネルから取り外す際も、係合させた際とは逆方向に相対移動させて第１係合部材と第２係合部材の係合を解除するだけで取り外しが可能となる。このため、床材と床暖房パネルとを接着剤で固定した場合のように、床材を床暖房パネルから取り外す際に床材や床暖房パネルが破損してしまうことがない。
【００１５】
請求項２に記載の発明は、前記凸状部は、基端側から突出端へと向かって細くなる楔状の突起であり、前記係合受部は、前記凸状部を挿入可能な孔状の部分であって、前記凸状部を前記係合受部に挿入することにより、前記第１係合部材と前記第２係合部材とが固定されることを特徴とする請求項１に記載の床材の固定構造である。
【００１６】
かかる構成によると、簡単な構造で第１係合部材と第２係合部材とを強固に固定できるため好ましい。
【００１７】
請求項３に記載の発明は、前記床暖房パネルは床下に配される下地合板上に固定されるものであり、前記下地合板と前記床暖房パネルとを固定する固定具と、前記床暖房パネルと前記第１係合部材とを固定する固定具とが同一の固定具であることを特徴とする請求項１又は２に記載の床材の固定構造である。
【００１８】
かかる構成では、第１係合部材を床暖房パネルに固定するための固定具と、床暖房パネルを床下に固定するための固定具とを同一の固定具としている。このように、固定具を共用する構成によると、固定構造全体での部品点数が少なくなり、コストの削減を図ることができる。
また、床暖房パネルを床下に固定する工程を実施した後、床暖房パネルに対して第１係合部材を固定する工程を実施する場合と比べて、床暖房パネル（床暖房装置）の設置作業を簡易化することができる。すなわち、床暖房パネルの床下への固定と、第１係合部材の床暖房パネルへの固定とを１つの工程で実施できるので、２つの工程をそれぞれ実施する場合と比べて、作業の効率化を図ることが可能となる。
【００１９】
本発明の床材の固定構造は、段状に屈曲させた金属板体である床材固定部材を備え、前記床材固定部材は前記床材の裏面側に取り付けられ、前記床材と共に前記床暖房パネルに載置された状態で下側部分を前記床暖房パネルに固定するものであり、前記床暖房パネル上に敷設される複数の床材のうちの一部が、前記床材固定部材を介して前記床暖房パネルに固定されている構成であってもよい（請求項４）。
【００２０】
請求項５に記載の発明は、請求項１乃至４のいずれかに記載の床材の固定構造により、床暖房パネルと床材とが固定されていることを特徴とする床暖房装置である。
【００２１】
本発明の床暖房装置は、請求項１乃至４のいずれかに記載の床材の固定構造で床暖房パネルと床材を固定しているので、仮に床材に上向きに力が加わった場合であっても床材が外れることのない強固な取付けが可能となっている。また、床材を床暖房パネルから取り外す際も、床材を床暖房パネルに対して水平方向成分を含む方向で離間する方向に移動させるだけで取り外しできるので、床材と床暖房パネルとを接着剤で固定した場合とは異なり、床材や床暖房パネルを破損させることなく取り外すことができる。
【発明の効果】
【００２２】
本発明の床材の固定構造は、床暖房パネルに取り付けた第１係合部材と、床材に取り付けた第２係合部材とを水平方向成分を含む方向への相対移動によって係合（又は係合解除）する構造としている。そのため、仮に床材に上向きに力が加わった場合であっても床材が外れることのない強固な取付けが可能となっている。
また、このことから、床材を床暖房パネルから取り外す際も、係合させた際とは逆方向に相対移動させて第１係合部材と第２係合部材の係合を解除するだけで取り外しが可能となる。したがって、床材と床暖房パネルとを接着剤で固定した場合のように、床材を床暖房パネルから取り外す際に床材や床暖房パネルが破損してしまうことがない。
本発明の床暖房装置も同様に、床材の強固な取付けと、床材や床暖房パネルを破損させることのない床材の取り外しが可能となっている。
【図面の簡単な説明】
【００２３】
【図１】本発明の第１実施形態にかかる床暖房装置を示す説明図である。
【図２】図１の床暖房装置を示す平面図であり、床材を透過して示す。
【図３】図２の床暖房装置を示すＡ−Ａ断面図である。
【図４】図３の床材側固定金具を示す斜視図である。
【図５】図３のパネル側固定金具を示す斜視図である。
【図６】図１の床暖房パネルの上側に床材を固定していく様子を示す説明図である。
【図７】図１の床暖房パネルの上側に床材を固定していく様子を示す説明図であり、要部を拡大すると共に一部を省略して示す。
【図８】本発明の第２実施形態にかかる床材側固定金具を示す斜視図である。
【図９】本発明の第３実施形態にかかる床材側固定金具を示す斜視図である。
【図１０】本発明の第４実施形態にかかる床材側固定金具を示す斜視図である。
【図１１】本発明の第５実施形態にかかる床材側固定金具を示す斜視図である。
【図１２】本発明の第６実施形態にかかる床材側固定金具を示す斜視図である。
【図１３】本発明の第７実施形態にかかる床材側固定金具を示す斜視図である。
【図１４】本発明の第７実施形態にかかるパネル側固定金具を示す斜視図である。
【図１５】本発明の第８実施形態にかかる床材側固定金具を示す斜視図である。
【図１６】本発明の第９実施形態にかかる床材側固定金具を示す斜視図である。
【図１７】本発明の第１０実施形態にかかる床材側固定金具を示す斜視図である。
【図１８】本発明の固定構造において、床暖房パネルの端側に位置する床材を固定するための固定金具を示す斜視図である。
【図１９】図１８の固定金具で床材を固定する様子を示す説明図であり、（ａ），（ｂ）の順に固定する。
【図２０】図５、図１４とは異なる形態のパネル側固定金具を示す斜視図である。
【発明を実施するための形態】
【００２４】
以下、本発明の実施形態にかかる床暖房装置について図面を参照しつつ詳細に説明するが、本発明はこれらの例に限定されるものではない。
【００２５】
第１実施形態の床暖房装置１では、図１で示されるように、梁や根太等の上側に床下合板２（下地合板）が敷かれて床下地が形成されており、この床下地の上側に床暖房パネル３と床材４が配されている。より具体的には、床下地に床暖房パネル３が固定されており、床暖房パネル３の上側に放熱シート（図示せず）が設けられている。そして、さらにその上側に床材４が取り付けられた状態となっている。そして、床暖房パネル３の温水配管８（発熱体）に外部の熱源機（図示せず）で加熱した温水（不凍液）を流し、温水の熱を床材４に伝熱させることで床暖房を行っている。
【００２６】
床暖房パネル３は、図２で示されるように、平面視略矩形状の本体基材７の上側に温水配管８と小根太部材９とを配して形成された、温水式の床暖房パネルである。
【００２７】
温水配管８は、架橋ポリエチレン管、ポリブテン管、銅管等の適宜な材料で形成された配管である。この温水配管８は、直線状に延びる直線配管部８ａと、屈曲して延びる屈曲配管部８ｂとが一体となって形成されている。
より具体的には、温水配管８は、複数の直線配管部８ａを有している。そして、それぞれの直線配管部８ａは床暖房パネル３の長手方向に沿って延びており、床暖房パネル３の短手方向に沿って所定の間隔を空けて並列に配置されている。さらに、この直線配管部８ａの端部同士を連通するように屈曲配管部８ｂが位置している。すなわち、複数の直線配管部８ａと複数の屈曲配管部８ｂとが連続し、蛇行して延びる一つの配管を形成している。
【００２８】
小根太部材９は、木材等を加工して形成される角柱状の部材であり、床暖房パネル３の長手方向に沿って延びている。この小根太部材９は、複数設けられており、床暖房パネル３の短手方向に沿って所定の間隔を空けて並列に配置されている。この小根太部材９は、いずれも２つの直線配管部８ａの間に位置しており、小根太部材９の延び方向と直線配管部８ａの延び方向とは、同一の方向となっている。
この小根太部材９には、小根太部材９を跨いで温水配管８を延ばすための断続部１２と、切欠溝部１３とがそれぞれ形成されている。
【００２９】
断続部１２は、小根太部材９と温水配管８とが交差する部分であり、温水配管８を配するために小根太部材９の一部を欠落させた部分である。つまり、小根太部材９は、長尺状部分９ａと短尺状部分９ｂが床暖房パネル３の長手方向で並列して形成されるものであり、断続部１２は、長尺状部分９ａと短尺状部分９ｂの間に位置する直方体状の空間となっている。
【００３０】
切欠溝部１３は、図２、図３で示されるように、小根太部材９の上面側に形成した窪み部分であり、略直方体状の空間となっている。この切欠溝部１３は、上下方向においては、小根太部材９の上端部分から上下方向の中心近傍まで延びており、幅方向においては、小根太部材９の短手方向における片側端部から他方端部までの間で延びている。
そして、この切欠溝部１３は、１つの小根太部材９に複数設けられており、小根太部材９の長手方向で所定の間隔を空けて並列している。
【００３１】
床材４は、図２、図３で示されるように、合板やＬＶＬ等の木質積層板、パーティクルボード等の木質ボード、インシュレーションボードやＭＤＦ（中密度繊維板）等の木質繊維板、無垢材などの木質系材料といった適宜な材料を加工して形成される略長方形平板状の部材となっている。
なお、床材４の材料は、上記したような材料に限らず、石膏ボード等の無機質系材料や合成樹脂系材料等から形成されたものであってもよい。
【００３２】
この床材４の周縁部分のうち、短手方向で対向する部分には、雄実部１７と雌実部１８とがそれぞれ形成されている（図３参照）。
【００３３】
雄実部１７は、床材４の短手方向で対向する２つの側面のうちの一つに形成されるものであり、外側に凸となった突起状の部分である。この雄実部１７は、雄実部１７が形成される側面の長手方向の全体に亘って延設されている。
【００３４】
雌実部１８は、床材４の短手方向で対向する２つの側面のうちの一つに形成されるものであり、内側に窪んだ部分である。この雌実部１８は、雌実部１８が形成される側面の長手方向の全体に亘って延設されている。
【００３５】
そして、床材４の雄実部１７（又は雌実部１８）は、他の床材４の雌実部１８（又は雄実部１７）と係合可能となっている。別言すると、雄実部１７と雌実部１８とを嵌合することにより、床材４同士を連結可能となっている。
【００３６】
ここで、図３で示されるように、床材４の裏面側には、床材側固定金具２３（第２係合部材）が取り付けられており、床暖房パネル３の小根太部材９には、パネル側固定金具２４（第１係合部材）が取り付けられている。そして、床材側固定金具２３とパネル側固定金具２４とが係合することにより、床材４が床暖房パネル３に固定された状態となっている。
【００３７】
ここで、本実施形態の特徴的な部材である、床材側固定金具２３とパネル側固定金具２４についてそれぞれ詳細に説明すると共に、これらを用いた床材４の床暖房パネル３への固定構造について詳細に説明する。
【００３８】
床材側固定金具２３は、図４で示されるように、略長方形平板状の天板部２７と、天板部２７の下面から下方へ突出する立板部２８と、立板部２８の一つの側面から外側へ突出する突起部２９（凸状部）とが一体に形成された金具である。
【００３９】
天板部２７は、床材側固定金具２３の最も上側に位置する部分であり、複数の取付用貫通孔３３が設けられている。より詳細には、天板部２７には、２つの取付用貫通孔３３が異なる位置にそれぞれ設けられている。この取付用貫通孔３３は、天板部２７を厚さ方向（表裏方向）に貫通する開口形状が円形の貫通孔であり、釘や木ネジ等の締結要素を打ち込むための孔となっている。
ここで、締結要素とは、釘、ネジ、鋲、針等の上位概念であるものとする。
なお、２つの取付用貫通孔３３は、いずれも天板部２７の短手方向の中心近傍の位置であり、天板部２７の長手方向の端部よりやや中心よりの位置にそれぞれ設けられている。そして、この２つの取付用貫通孔３３は、天板部２７の長手方向で所定の間隔を開けて並列した状態となっている。
【００４０】
立板部２８は、天板部２７の下面から垂下した略長方形平板状の部分であり、同じく略長方形平板状の天板部２７と略「Ｔ」字状に交わるように設けられている。すなわち、立板部２８は、直立した略長方形平板状の部分であり、長手方向の片側端部が天板部２７の下面と連続している。さらに、この立板部２８の厚さ方向と、天板部２７の長手方向とが同一の方向となっており、立板部２８の短手方向と、天板部２７の短手方向とが同一の方向となっている。
【００４１】
突起部２９は、立板部２８の短手方向で対向する２つの側面のうちの１つから外側へ突出するものであり、より詳細には、この側面の下端側（突出端側）に位置する部分から外側へと突出する山形の突起部分である。すなわち、突起部２９は、立板部２８と略「Ｌ」字状に連続する一体の板体となっている。この突起部２９は、突出方向側方からみたとき、その形状が略直角三角形状となっている。
突起部２９の上端面は、外側に向かうにつれて高さが低くなる傾斜面となっている。別言すると、突起部２９は、突出方向先端側に向かうにつれて先細りする（上下方向の長さが短くなる）形状となっている。また、突起部２９の下端面は、立板部２８の下端面と同一平面を形成している。
【００４２】
パネル側固定金具２４は、図５で示されるように、略長方形平板状の金属板を側面視が略「Ｌ」字状になるように屈曲加工して形成される金具である。すなわち、パネル側固定金具２４は、平面視が略長方形平板状の支持板部３７と、支持板部３７の端部から略垂直上方へと突出する立上板部３８とを有し、これらが一体に連続している。
【００４３】
支持板部３７には、複数の取付用貫通孔４１が設けられており、より詳細には、２つの取付用貫通孔４１が異なる位置にそれぞれ設けられている。この取付用貫通孔４１は、支持板部３７を厚さ方向（表裏方向）に貫通する開口形状が円形の貫通孔であり、締結要素を打ち込むための孔となっている。
なお、２つの取付用貫通孔４１は、いずれも天板部２７の短手方向の中心近傍の位置であり、天板部２７の長手方向の端部よりやや中心よりの位置にそれぞれ設けられている。そして、この２つの取付用貫通孔４１は、天板部２７の長手方向で所定の間隔を開けて並列した状態となっている。
【００４４】
立上板部３８は、正面視が略「ロ」字状となる板体であり、直立姿勢となるように支持された状態となっている。別言すると、立上板部３８は、直立した略長方形平板状の部分であり、その中心よりの部分を厚さ方向に貫通する掛止孔４２(係合受部)が設けられている。
掛止孔４２は、開口形状が略縦長長方形状の貫通孔となっている。この掛止孔４２は、立上板部３８の幅方向の中心近傍であって、立上板部３８の上下方向のやや上端よりの部分に形成されている。
【００４５】
続いて、床材４の床暖房パネル３上への取り付けについて説明する。
【００４６】
まず、床材４の床暖房パネル３への取り付けに先立って、床材４に床材側固定金具２３を取り付け、床暖房パネル３にパネル側固定金具２４を取り付ける。
【００４７】
床材４に床材側固定金具２３を取り付ける際、床材側固定金具２３の天板部２７（図４参照）を床材４の裏面側に下方から当接させる（図３参照）。そして、天板部２７に形成した取付用貫通孔３３に釘等の締結要素を打ち込み、天板部２７と床材４とを固定する。このとき、図３で示されるように、床材側固定金具２３の突起部２９の突出方向と、床材４の雄実部１７の突出方向とが同一となるように、床材側固定金具２３を床材４に固定する。
【００４８】
床暖房パネル３にパネル側固定金具２４を取り付ける際、パネル側固定金具２４の支持板部３７を、床暖房パネル３の小根太部材９に形成した切欠溝部１３の上側に載置する（図３参照）。そして、支持板部３７に形成した取付用貫通孔４１に釘等の締結要素を打ち込み、支持板部３７と床暖房パネル３とを固定する。このとき、図３で示されるように、掛止孔４２の開口面が床材４の短手方向（図３の左右方向）と直交するように支持板部３７を床暖房パネル３に固定する。別言すると、掛止孔４２の延び方向と、床暖房パネル３の長手方向とは同一の方向（図３の左右方向）となっている。
【００４９】
ところで、取付用貫通孔４１を貫通した締結要素は、床暖房パネル３の小根太部材９及び本体基材７を貫通し、床下合板２まで延びている。すなわち、パネル側固定金具２４を床暖房パネル３に固定するための固定具して機能する締結要素は、床暖房パネル３を床下地に固定するための固定具としても機能する。このように、固定具を共用する構成によると、固定構造全体での部品点数が少なくなり、コストの削減を図ることができる。また、床暖房パネル３を床下合板２に固定した後、さらに、床暖房パネル３にパネル側固定金具２４を固定する場合と比べて、締結要素を打ち込む作業の回数を削減できる。このことから、作業の効率化を図ることが可能となる。
【００５０】
続いて、床材４を床暖房パネル３へ取り付ける。
床材４を床暖房パネル３の上方に取り付ける際、図６、図７で示されるように、床暖房パネル３の長手方向の片側端部側から他方端部側へ向かって順に床材４を敷き詰めていく。
【００５１】
より具体的には、まず、床暖房パネル３の長手方向における片側端部の上方に、第１の床材４ａを適宜な手段で取り付ける。
具体的に説明すると、床暖房パネル３の周囲に位置する空間部には、床暖房パネル３の高さに合わせたダミー合板（図示を省略する）を施工している場合がある。すなわち、床暖房パネル３とダミー合板とで平面を形成し、その上側に床材４を敷き詰めることで、室内における床面（図１参照）を形成する場合がある。このような場合、第１の床材４ａの取り付けにあたり、ダミー合板の上面に接着剤等を塗布して第１の床材４ａを取り付けてもよい。また、釘や鋲等の締結要素を打ちつけることで、ダミー合板と第１の床材４ａとを固定してもよい。このようにダミー合板と第１の床材４ａとを固定した場合であっても、第１の床材４ａを取り外す際に床暖房パネル３が損傷することはない。
【００５２】
そして、第１の床材４ａを取り付けた状態では、第１の床材４ａの少なくとも一部が庇のように床暖房パネル３の上方に位置した状態となっている。別言すると、第１の床材４ａの短手方向の片側端部は床暖房パネル３の上側に位置した状態となっている。
【００５３】
続いて、第２の床材４ｂを取り付ける。
より具体的には、図６、図７で示されるように、第２の床材４ｂをすでに取り付けられた第１の床材４ａと床暖房パネル３に近接させる。すなわち、第２の床材４ｂを斜め下方へと移動させ、第１の床材４ａと床暖房パネル３とに近接させる。
【００５４】
そして、第２の床材４ｂに一体に取り付けられた床材側固定金具２３と、床暖房パネル３に一体に取り付けられたパネル側固定金具２４とを係合させる。すなわち、パネル側固定金具２４の掛止孔４２に、床材側固定金具２３の突起部２９を突出方向先端側から挿通する。そして、第２の床材４ｂをそのまま挿通方向に移動させ、突起部２９の突出方向基端側の部分まで掛止孔４２に挿通した状態とする。
【００５５】
ここで、上記したように、突起部２９は突出方向基端側に向かうにつれて上下方向の長さが長くなっている。
このことから、突起部２９の突出方向先端側の部分だけを掛止孔４２に挿通したのでは、突起部２９の先端側の部分よりも掛止孔４２の孔径が十分に大きいため、突起部２９と掛止孔４２の内周面の間には大きな隙間が形成されることとなる。
対して、突起部２９の突出方向基端側の部分を掛止孔４２に挿通すると、突起部２９が掛止孔４２に嵌り込み、突起部２９の外表面と掛止孔４２の内周面とが広い範囲で面接触する。このことにより、床材側固定金具２３（突起部２９）がパネル側固定金具２４に固定された状態となる。
【００５６】
すなわち、突起部２９の先端側の部分から掛止孔４２に挿入していき、基端側部分まで挿入すると、突起部２９の外表面と掛止孔４２の内周面とが広い範囲で面接触する。その状態において、さらに突起部２９を挿入方向へ押し込むことで、突起部２９が掛止孔４２の内周面と密着し、床材側固定金具２３（突起部２９）とパネル側固定金具２４とが強固に固定される。別言すると、床材側固定金具２３とパネル側固定金具２４とが嵌合した状態となる。
【００５７】
このように、突起部２９の突出方向基端側の部分を掛止孔４２に挿通することで、床材側固定金具２３とパネル側固定金具２４とが係合状態となる。そして、係合状態においては、床材側固定金具２３とパネル側固定金具２４とが互いに離反する方向への移動を規制する。換言すると、床材側固定金具２３とパネル側固定金具２４、延いては第２の床材４ｂと床暖房パネル３の相対的な移動が規制された状態となる。このため、第２の床材４ｂに対して上側へと力を加えても、第２の床材４ｂが上側へと移動することはない。
【００５８】
また、突起部２９を掛止孔４２に挿通すると共に、第２の床材４ｂの雄実部１７を第１の床材４ａの雌実部１８に嵌め込み、これら雄実部１７と雌実部１８とを係合させた状態とする。すなわち、床材側固定金具２３とパネル側固定金具２４とを係合状態とし、さらに、隣接して配される床材４の雄実部１７と雌実部１８とを係合させることで、隣接して配される床材４が一体に連結した状態で床暖房パネル３の上側に固定される。
【００５９】
以下同様に、第２の床材４ｂに続いて第３の床材４、第４の床材４、第５の床材４・・・を順次取り付けていく。そして、所定の枚数の床材４を床暖房パネル３の上側に取り付けることにより、床材４の床暖房パネル３上への取り付けが完了する。
【００６０】
本実施形態では、小根太部材９の長手方向で所定の間隔を空けて形成される複数の切欠溝部１３のそれぞれに床材側固定金具２３を取り付けると共に、床暖房パネル３の上側に敷き詰める複数の床材４のそれぞれに床材側固定金具２３取り付けている。すなわち、床材側固定金具２３とパネル側固定金具２４とからなる１対の金具を複数個所で係合させ、床暖房パネル３の上側に複数の床材４を固定している。
このように、本実施形態では、床材側固定金具２３とパネル側固定金具２４の係合箇所、すなわち、床材側固定金具２３の取り付け位置とパネル側固定金具２４の取り付け位置とが予め定まっており、床材４の取り付け作業を実施する施工現場において、これらを測定等により定める必要はない。このことから、床材４を床暖房パネル３に取り付けたときの床材４と床暖房パネル３の相対位置もまた、予め定まることとなる。したがって、上記したダミー合板（図示を省略する）のような周辺部材を床暖房パネル３の周囲に取り付けるとき、施工現場では、床材４や床暖房パネル３の取り付け位置に合わせて周辺部材を加工する必要はない。すなわち、予め加工した周辺部材を採用して床材４の取り付け作業を実施することができるので、施工現場における作業効率を向上させることが可能となる。
【００６１】
さらに本発明の他の実施形態について、図面を参照しつつ詳細に説明する。なお、上記した第１実施形態と同様の部分については、同じ符号を付して説明を省略するものとする。また、床材側固定金具２３やパネル側固定金具２４を取り付ける床材４や床暖房パネル３の構造についても説明を省略するものとする。
【００６２】
第２実施形態の床材側固定金具１２３（第２係合部材）は、図８で示されるように、略長方形平板状の天板部１２７を有しており、天板部１２７の下面の一端部から立板部２８が垂下された状態となっている。別言すると、この天板部１２７は、立板部２８の上端部分を側方に折り曲げたような形状となっており、天板部１２７の周縁の１辺を形成する部分から立板部２８が下方に突出した状態となっている。
すなわち、上記した第１実施形態では、天板部２７の下面において長手方向の中心近傍から立板部２８が垂下する例を示したが、本発明はこれに限るものではない。第２実施形態で示されるように、立板部２８は、天板部１２７の端部近傍から垂下されていてもよい。
【００６３】
ところで、この天板部１２７は立板部２８の上端から側方へ突出した状態となっているともいえる。このとき、天板部１２７の突出方向基端側の端部には立板部２８が位置しており、突出方向先端側の端部よりやや基端側の位置には、取付用貫通孔１３３が設けられている。この取付用貫通孔１３３は、天板部１２７を厚さ方向（上下方向）に貫通するものであり、開口形状は略円形となっている。さらに、取付用貫通孔１３３は２つ設けられており、２つの取付用貫通孔１３３は、天板部１２７の突出方向と略垂直に交わる方向で並列した状態となっている。
【００６４】
第３実施形態の床材側固定金具２２３（第２係合部材）は、図９で示されるように、立板部２８から外側へ突出する山形の突起部２２９（凸状部）を備えており、この突起部２２９の上端に形成された傾斜面に小突起列２３０が設けられている。
より具体的には、小突起列２３０は、突起部２２９の突出方向の側面からみた形状が略鋸刃状となっており、複数の小突起片２３１が列状に設けられて形成されるものである。この小突起片２３１は、突起部２２９の突出方向で並列するものであり、それぞれが上方に凸となる山形の突起となっている。
【００６５】
第４実施形態の床材側固定金具３２３（第２係合部材）は、図１０で示されるように、立板部２８から外側へ突出する山形の突起部３２９（凸状部）を備えており、この突起部３２９の上端面に複数の小突起３３１が設けられている。
より具体的には、それぞれの小突起３３１は、突起部３２９の上端面から上方に突出するものであり、その突出方向は、突起部３２９の上端面に対して略垂直となっている。この小突起３３１は上方へ丸みを帯びて凸となるものであり、外形が略半円柱状となっている。さらに、この小突起３３１は、突起部３２９の上端面で所定の間隔を空けて並列するように設けられている。別言すると、突起部３２９の突出方向に沿って、複数の小突起３３１が等間隔に列をなした状態となっている。
【００６６】
第５実施形態の床材側固定金具４２３（第２係合部材）は、図１１で示されるように、立板部２８から外側へ突出する略直方体状の突起部４２９（凸状部）を備えている。この突起部４２９は、立板部２８の側面の１つから外側へ突出するものであり、突出方向はこの側面に対して略垂直となっている。より具体的には、突起部４２９は、立板部２８の短手方向（上下方向及び厚さ方向と直交する方向）で対向する２つの側面のうちの１つから外側へ突出している。
【００６７】
そして、この突起部４２９の突出方向先端側の部分は、上端から下端にかけて斜めに切り落とされたような形状となっている。別言すると、突起部４２９の突出方向先端側の部分には、突起部４２９の突出方向基端側に向かうにつれて高さが高くなる傾斜面４２９ａが形成されている。また、突起部４２９の上端面であって、突起部４２９の先端側に形成された傾斜面４２９ａよりも立板部２８よりの位置にある基端側上端面４２９ｂは、上下方向に対して略垂直に交わる面となっており、複数の小突起４３１が設けられている。
【００６８】
より具体的には、それぞれの小突起４３１は、基端側上端面４２９ｂから上方に突出するものであり、その突出方向は、基端側上端面４２９ｂに対して略垂直となっている。この小突起４３１は、上方に凸となる山形の突起であり、外形が横倒しした三角柱状となっている。別言すると、小突起４３１は、頂部が尖っており、下方に向かうにつれて幅が広がっている。また、小突起４３１は、基端側上端面４２９ｂで所定の間隔を空けて並列するように設けられている。別言すると、突起部４２９の突出方向に沿って、複数の小突起４３１が等間隔に列をなした状態となっている。
【００６９】
第６実施形態の床材側固定金具５２３（第２係合部材）は、図１２で示されるように、立板部２８から外側へ突出する略直方体状の突起部５２９（凸状部）を備えている。
ところで、第６実施形態の突起部５２９の形状は、上述した第５実施形態の突起部４２９（図１１参照）の形状と略同一となっており、突起部５２９の上端面に形成された小突起５３１が第５実施形態とは異なっている。そこで、後述の床材側固定金具５２３に関する説明では、小突起５３１に関連する事項のみを説明し、その他の部分の説明を省略する。
【００７０】
突起部５２９の上端面のうち、突出方向基端側よりの位置に形成された基端側上端面５２９ｂには、複数の小突起５３１が設けられている。
それぞれの小突起５３１は、基端側上端面５２９ｂから上方に突出するものであり、その突出方向は、基端側上端面５２９ｂに対して略垂直となっている。この小突起５３１は、上方に丸みを帯びて凸となる突起であり、外形が横倒しした半円柱状となっている。また、この小突起５３１は、基端側上端面５２９ｂで所定の間隔を空けて並列するように設けられている。別言すると、突起部５２９の突出方向に沿って、複数の小突起５３１が等間隔に列をなした状態となっている。
【００７１】
第７実施形態の床材側固定金具６２３（第２係合部材）は、図１３で示されるように、略長方形平板状の金属板の一方端を下方側へ湾曲させて形成している。より具体的には、床材側固定金具６２３は、弾性を有する適宜な金属で形成された金属板を湾曲させて形成されたものであり、この金属板を一部になだらかな曲面が形成されるように曲げることで形成している。つまり、床材側固定金具６２３は、略長方形平板状の天板部６２７と、下方に向かってなだらかに傾斜する曲面部６２８と、斜め下方へと突出する突出板部６２９（凸状部）とが一体となって形成される金具となっている。
【００７２】
この天板部６２７には、２つの取付用貫通孔６３３が異なる位置にそれぞれ設けられており、天板部６２７の長手方向において所定の間隔を開けて並列した状態となっている。
この取付用貫通孔６３３は、いずれも天板部６２７を厚さ方向（表裏方向）に貫通する開口形状が円形の貫通孔であり、釘や木ネジ等の締結要素を打ち込むための孔となっている。
【００７３】
ここで、第７実施形態では、図１４で示されるように、略長方形平板状の金属板を側面視が略「Ｌ」字状になるように屈曲加工して形成されるパネル側固定金具６２４（第１係合部材）を採用している。
ところで、パネル側固定金具６２４の形状は、上述した第１実施形態におけるパネル側固定金具２４の形状と略同一となっており、立上板部３８に形成した掛止孔６４２の形状が上述のパネル側固定金具２４とは異なっている。そこで、後述のパネル側固定金具６２４に関する説明では、掛止孔６４２に関連する事項のみを説明し、その他の部分の説明を省略する。
【００７４】
掛止孔６４２は、開口形状が略横長長方形状の貫通孔となっている。この掛止孔６４２は、立上板部３８の上下方向の中心よりやや上側の位置に形成されており、幅方向の略全域に亘って延びている。すなわち、掛止孔６４２は、幅方向の片側端部よりもやや中心よりの位置から、幅方向の他方端部よりやや中心よりの位置まで延びた状態となっている。
【００７５】
このように、本発明の固定構造において床暖房パネル３に取り付ける金具は、上述した第１実施形態におけるパネル側固定金具２４に限るものではなく、床材４に取り付ける金具の形状に応じて適宜変更してもよい。
【００７６】
第８実施形態の床材側固定金具７２３（第２係合部材）は、図１５で示されるように、弾性を有する適宜な金属で形成された略長方形平板状の金属板を屈曲させて形成しており、より具体的には、金属板の一方端を下方側へと屈曲させて形成している。別言すると、床材側固定金具６２３は、略長方形平板状の天板部７２７と、天板部７２７の短手方向における端部から外側下方へ突出する突出板部７２９（凸状部）とが一体となって形成される金具となっている。
なお、この床材側固定金具７２３は、第７実施形態のパネル側固定金具６２４と一対の金具として使用されるものである。
【００７７】
天板部７２７には、２つの取付用貫通孔７３３が異なる位置にそれぞれ設けられており、天板部７２７の長手方向において所定の間隔を開けて並列した状態となっている。この取付用貫通孔７３３は、いずれも天板部７２７を厚さ方向（表裏方向）に貫通する開口形状が円形の貫通孔であり、釘や木ネジ等の締結要素を打ち込むための孔となっている。
【００７８】
第９実施形態の床材側固定金具８２３（第２係合部材）は、図１６で示されるように、第８実施形態の床材側固定金具７２３（図１５参照）の形状と略同一となっており、突出板部８２９（凸状部）の上端面に小突起８３１が形成されている点で第８実施形態とは異なっている。そこで、後述の床材側固定金具８２３に関する説明では、小突起８３１に関連する事項のみを説明し、その他の部分の説明を省略する。
なお、この床材側固定金具８２３は、第７実施形態のパネル側固定金具６２４と一対の金具として使用されるものである。
【００７９】
小突起８３１は、突出板部８２９の上端面から上方に突出するものであり、その突出方向は、突出板部８２９の上端面に対して略垂直となっている。この小突起８３１は上方へ丸みを帯びて凸となるものであり、外形が略半円柱状となっている。別言すると、この小突起８３１は、断面形状が略半円状となっており、突出板部８２９の長手方向の全域に亘って延びている。
また、この小突起８３１は複数設けられるものであり、突出板部８２９の上端面で所定の間隔を空けて並列するように設けられている。詳細には、突出板部８２９の突出方向（短手方向）に沿って、複数の小突起８３１が等間隔に列をなした状態となっている。
【００８０】
第１０実施形態の床材側固定金具９２３（第２係合部材）は、図１７で示されるように、金属板を階段状に折り曲げたような形状であり、側面視した形状が略「Ｚ」字状となっている。より具体的には、床材側固定金具９２３は、略長方形平板状の天板部９２７と、天板部９２７の短手方向における端部から下方へ突出する立板部９２８と、立板部９２８の下端から外側へ突出する略長方形平板状の突出板部９２９（凸状部）とが一体となって形成される金具となっている。したがって、立板部９２８の上端近傍で外側に突出する天板部９２７と、立板部９２８の下端近傍で外側に突出する突出板部９２９とでは、その突出方向が逆向きとなっている。
【００８１】
天板部９２７には、２つの取付用貫通孔９３３が異なる位置にそれぞれ設けられており、天板部９２７の長手方向において所定の間隔を開けて並列した状態となっている。この取付用貫通孔９３３は、いずれも天板部９２７を厚さ方向（表裏方向）に貫通する開口形状が円形の貫通孔であり、釘や木ネジ等の締結要素を打ち込むための孔となっている。
【００８２】
突出板部９２９は、上面と下面とにそれぞれ複数の小突起（小突起９３１、小突起９３２）が設けられている。
【００８３】
上面に形成された小突起９３１は、上方に丸みを帯びて凸となるように突出しており、その突出方向は、突出板部９２９の上面に対して略垂直となっている。そして、小突起９３１は、外形が横倒しした半円柱状となっている。より具体的には、小突起９３１は、断面形状が略半円形で突出板部９２９の長手方向の全域に亘って延びている。
この小突起９３１は、突出板部９２９の上面で所定の間隔を空けて並列するように設けられている。別言すると、突出板部９２９の突出方向に沿って、複数の小突起９３１が等間隔に列をなした状態となっている。
【００８４】
下面に形成された小突起９３２は、下方に丸みを帯びて凸となるように突出しており、その突出方向は、突出板部９２９の下面に対して略垂直となっている。そして、小突起９３２は、外形が横倒しした半円柱状となっている。より具体的には、小突起９３２は、断面形状が略半円形で突出板部９２９の長手方向の全域に亘って延びている。
この小突起９３２もまた、突出板部９２９の下面で所定の間隔を空けて並列するように設けられている。別言すると、突出板部９２９の突出方向に沿って、複数の小突起９３２が等間隔に列をなした状態となっている。
【００８５】
なお、上面に形成された小突起９３１と下面に形成された小突起９３２とは、突出板部９２９の突出方向において異なる位置に形成されている。すなわち、上面に形成された小突起９３１の下方には下面側の小突起９３２が形成されておらず、下面に形成された小突起９３２の上方には上面側の小突起９３１が形成されていない状態となっている。別言すると、上面に形成された２つの小突起９３１の間に形成される空隙の下方に下面側の小突起９３２が形成されており、下面に形成された２つの小突起９３２の間に形成される空隙の上方に上面側の小突起９３２が形成された状態となっている。
【００８６】
上記した実施形態では、床暖房パネル３の長手方向において最も端部側に位置する第１の床材４ａを固定する際、床暖房パネル３の周囲に位置するダミー合板（図示を省略する）に対して固定する例を示したが、本発明はこれに限るものではない。例えば、図１８で示されるような端部側床材固定金具８３（床材固定部材）により、第１の床材４ａを床暖房パネル３の小根太部材９に固定してもよい（図１９参照）。
端部側床材固定金具８３と、この金具を用いた第１の床材４ａの固定方向につき、以下で詳細に説明する。
【００８７】
端部側床材固定金具８３は、金属板を階段状に折り曲げたような形状であり、側面視した形状が略「Ｚ」字状となっている。より具体的には、端部側床材固定金具８３は、略長方形平板状の天板部８７と、天板部８７の短手方向における端部から下方へ突出する立板部８８と、立板部８８の下端から外側へ突出する略長方形平板状の突出板部８９とが一体となって形成される金具となっている。したがって、立板部８８の上端近傍で外側に突出する天板部８７と、立板部８８の下端近傍で外側に突出する突出板部８９とでは、その突出方向が逆向きとなっている。
【００８８】
天板部８７には、２つの取付用貫通孔９３が異なる位置にそれぞれ設けられており、天板部８７の長手方向において所定の間隔を開けて並列した状態となっている。この取付用貫通孔９３は、いずれも天板部８７を厚さ方向（表裏方向）に貫通する開口形状が円形の貫通孔であり、釘や木ネジ等の締結要素を打ち込むための孔となっている。
【００８９】
突出板部８９にもまた、２つの取付用貫通孔９３が異なる位置にそれぞれ設けられており、突出板部８９の長手方向において所定の間隔を開けて並列した状態となっている。この取付用貫通孔９３は、いずれも突出板部８９を厚さ方向（表裏方向）に貫通する開口形状が円形の貫通孔であり、釘や木ネジ等の締結要素を打ち込むための孔となっている。
【００９０】
続いて、第１の床材４ａの床暖房パネル３上への取り付けについて説明する。
【００９１】
まず、第１の床材４ａの裏面側に端部側床材固定金具８３を取り付ける。
端部側床材固定金具８３を取り付ける際、図１９で示されるように、端部側床材固定金具８３の天板部８７を第１の床材４ａの裏面側に下方から当接させる。そして、天板部８７に形成した取付用貫通孔９３に釘等の締結要素を打ち込み、天板部８７と床材４とを固定する。
【００９２】
そして、第１の床材４ａを床暖房パネル３の上側に載置し、小根太部材９の切欠溝部１３の上側に端部側床材固定金具８３を配した状態とする（図１９（ａ）参照）。すなわち、端部側床材固定金具８３の突出板部８９を切欠溝部１３の上側に位置させた状態とする。そして、突出板部８９に形成した取付用貫通孔９３に釘等の締結要素を打ち込み、突出板部８９と小根太部材９とを固定する（図１９（ｂ）参照）。
【００９３】
この場合、端部側床材固定金具８３を固定した切欠溝部１３に、パネル側固定金具２４を固定してもよい。このことにより、第２の床材４ｂを上記と同様の手順で床暖房パネル３の上側に固定することが可能となる。
【００９４】
上記した実施形態では、床暖房パネル３の長手方向における片側端部側から他方端部側に向かって、第１の床材４ａ、第２の床材４ｂ、・・・を順次取り付けていく例について説明したが、本発明はこれに限るものではない。床材４の長さは適宜変更してよく、より長さの短い床材を床暖房パネル３の短手方向で並列させて配してもよい。
例えば、第１の床材４ａでなく、複数の床材を並列させて形成した床材列を配し、第１の床材列、第２の床材列、・・・を順次取り付けていく構成であってもよい。すなわち、床暖房パネル３の上側に床材を行列状に配し、それぞれを固定してもよい。
【００９５】
また、本発明の固定構造では、小根太部材９に形成した切欠溝部１３に複数のパネル側固定金具２４を固定してもよい。すなわち、小根太部材９の長手方向や短手方向において複数のパネル側固定金具２４が並列するように、切欠溝部１３にパネル側固定金具２４を固定してもよい。
【００９６】
さらにまた、上記した実施形態に限らず、床暖房パネル３の短手方向における片側端部側から他方端部側に向かって、第１の床材４ａ、第２の床材４ｂ、・・・を順次取り付けていく構成であってもかまわない。この場合、切欠溝部１３に固定するパネル側固定金具２４の向きを変更すれば、上記と同様の手順で床材を床暖房パネル３の上側に固定することが可能となる。
【００９７】
上記した実施形態では、長方形平板状の金属板を側面視が略「Ｌ」字状になるように屈曲加工して形成されるパネル側固定金具（パネル側固定金具２４、パネル側固定金具６２４）の例を示したが本発明はこれに限るものではない。例えば、図２０で示されるように、略円柱状のパネル側固定金具１００を使用する構成であってもよい。
【００９８】
この場合、まず、小根太部材９の短手方向の中心近傍に下方に向かって凸となる凹部１０１を形成する。そして、凹部１０１を取り囲む壁状部分のうち、対向する２つの壁状部分１０２にパネル側固定金具１００の両端部分をそれぞれ固定する。このとき、パネル側固定金具１００の下端は、凹部１０１の底面より上側に位置した状態とする。
すなわち、棒状のパネル側固定金具１００の下方側に空間が形成されるように、パネル側固定金具１００を小根太部材９に固定した状態とする。
【００９９】
そして、床材側固定金具の突起部や突出板部をパネル側固定金具１００の下方側に位置させることにより、床材側固定金具とパネル側固定金具１００とが係合状態となる。このことにより、床材側固定金具を一体に取り付けた床材は、上方への移動が不可能な状態で床暖房パネル（小根太部材９）の上側に固定された状態となる。
【０１００】
上記した実施形態では、温水式の床暖房パネル３に床材４を固定する例について説明したが、本発明はこれに限るものではない。ヒータを備えた電気式の床暖房パネルの上側に床材４を固定してもよい。
【０１０１】
上記した実施形態では、床材側固定金具に凸状部を設け、パネル側固定金具に係合受部を設けたが、本発明はこれに限るものではない。床材側固定金具に係合受部を設け、パネル側固定金具に凸状部を設ける構成であってもかまわない。
【符号の説明】
【０１０２】
１  床暖房装置
２  床下合板（下地合板）
３  床暖房パネル
４  床材
８  温水配管（発熱体）
２３  床材側固定金具（第２係合部材）
２４，６２４  パネル側固定金具（第１係合部材）
２９  突起部（凸状部）
４２  掛止孔(係合受部)
８３  端部側床材固定金具（床材固定部材）
１２３  床材側固定金具（第２係合部材）
２２３  床材側固定金具（第２係合部材）
２２９  突起部（凸状部）
３２３  床材側固定金具（第２係合部材）
３２９  突起部（凸状部）
４２３  床材側固定金具（第２係合部材）
４２９  突起部（凸状部）
５２３  床材側固定金具（第２係合部材）
５２９  突起部（凸状部）
６２３  床材側固定金具（第２係合部材）
６２９  突出板部（凸状部）
７２３  床材側固定金具（第２係合部材）
７２９  突出板部（凸状部）
８２３  床材側固定金具（第２係合部材）
８２９  突出板部（凸状部）
９２３  床材側固定金具（第２係合部材）
９２９  突出板部（凸状部）
【図１】
2014101682.tif 000003
【図２】
2014101682.tif 000004
【図３】
2014101682.tif 000005
【図４】
2014101682.tif 000006
【図５】
2014101682.tif 000007
【図６】
2014101682.tif 000008
【図７】
2014101682.tif 000009
【図８】
2014101682.tif 000010
【図９】
2014101682.tif 000011
【図１０】
2014101682.tif 000012
【図１１】
2014101682.tif 000013
【図１２】
2014101682.tif 000014
【図１３】
2014101682.tif 000015
【図１４】
2014101682.tif 000016
【図１５】
2014101682.tif 000017
【図１６】
2014101682.tif 000018
【図１７】
2014101682.tif 000019
【図１８】
2014101682.tif 000020
【図１９】
2014101682.tif 000021
【図２０】
2014101682.tif 000022